(57)【要約】      （修正有）【課題】複数の医療用観測装置から送られる複数の観察画像を同時に記録することができる医療用画像記録装置を提供すること。【解決手段】本発明の医療用画像記録装置は、複数の医療用観測装置から送られる複数の観察画像の同時記録、複数のデータ形式の画像の記録ができる。又参照用のインデックス画像を作成し、観察画像と共に記録するため、画像の再生時に効率良く求める画像が検索できる。【選択図】図２
2004356797.tif 000002
【特許請求の範囲】
【請求項１】
複数の医療用観測装置に接続する医療用画像記録装置であって、
前記複数の医療用観測装置から送られる複数の観察画像を同時に記録する記録手段、
を備えることを特徴とする医療用画像記録装置。
【請求項２】
請求項１記載の医療用画像記録装置であって、
更に、
前記観察画像を圧縮する圧縮手段、
を備えることを特徴とする医療用画像記録装置。
【請求項３】
請求項１記載の医療用画像記録装置であって、
前記複数の観察画像は、異なるＴＶ方式の画像であることを特徴とする医療用画像記録装置。
【請求項４】
請求項３記載の医療用画像記録装置であって、
前記異なるＴＶ方式の画像とは、ハイビジョン画像、ＲＧＢ画像、Ｙ／Ｃ画像、コンポジットビデオ画像のうち、少なくとも二つ以上を含むことを特徴とする医療画像記録装置。
【請求項５】
請求項１記載の医療用画像記録装置であって、
更に、
前記記録画像を、前記複数の医療用観測装置毎に複数枚一時的に記憶する一時記憶手段と、
を備えることを特徴とする医療用画像記録装置。
【請求項６】
請求項１記載の医療用画像記録装置であって、
前記複数の観察画像の記録は、前記複数の医療用観測装置のうちの一装置における記録指示手段からの指示によって行われることを特徴とする医療用画像記録装置。
【発明の詳細な説明】
【０００１】
【発明の属する技術分野】
本発明は、電子内視鏡、超音波診断装置などの複数の医療用観測装置で撮像される複数の観察画像を記録する医療用画像記録装置に関する。
【０００２】
【従来の技術】
従来より、医療現場では、電子内視鏡などの医療用観測装置で撮像される観察画像を後のレビュー等で有効に利用できるように、医療用観測装置に画像ファイル装置を接続して該画像を記録し、画像記録システムとして使用している状況にある。例えば、特許文献１などにそのような画像ファイル装置が開示されている。
【０００３】
また、観察画像の記録の際に、該画像と患者データ（ＩＤ．Ｎｏ，名前など）と共に記録する医療用画像記録装置もある。
さらに、近年の医療現場では、検査時に電子内視鏡だけでなく、他の医療用観測装置、例えば超音波診断装置、内視鏡挿入形状表示装置などを併用し、複数種類の医療用観測装置による観察を行うことにより、患者の病状の診断能の向上を図る傾向にある。例えば、特許文献２では内視鏡装置と超音波内視鏡装置を併用するシステムが開示されている。
【０００４】
【特許文献１】
特開平７−１４１４９８号公報
【特許文献２】
特開平５−３３６５４４号公報
【０００５】
【発明が解決しようとする課題】
ところが、従来の医療用画像記録装置では、一つの医療用観測装置毎に画像記録装置が設けられていたため、記録作業が煩雑になったり、再生時に異なる医療用観測装置の観察画像を連携して見ることが不便であったりした。
【０００６】
また、電子内視鏡も、従来のＴＶ方式だけでなく、ハイビジョン方式の装置も出現しており、様々なデータ形式の観察画像を記録できる記録装置が求められている。
本発明はこのような状況に鑑みてなされる発明であって、観察画像の記録に関して、（１）複数の医療用観測装置の観察画像の記録が可能、（２）複数のデータ形式の画像の記録が可能、（３）複数の医療用観測装置の種類、使用頻度などに対応して複数枚の観察画像を記録可能、である医療用画像記録装置を実現することにあり、また、画像の再生時の問題を解決するために、（４）観察画像の記録と共に、後のレビュー等で利用するインデックス画像（参照用のデータサイズの小さな画像）を作成して記録することが可能である医療用画像記録装置を実現することにあり、更に、記録作業の煩雑さをなくすために、（５）複数の医療用観測装置のうちの一装置からの記録指示によって、同時に複数の医療用観測装置の観察画像を記録することが可能である医療用画像記録装置を実現することを目的とする。
【０００７】
【課題を解決するための手段】
本発明の一態様である医療用画像記録装置は、複数の医療用観測装置から送られる複数の観察画像を同時に記録する記録手段を備えることによって前述した課題を解決する。この構成においては、記録手段が複数の医療用観測装置から送られる観察画像を患者データ（ＩＤ．Ｎｏ等）とともにデータベースに記録する。また、該観察画像は、異なるＴＶ方式の画像、例えばハイビジョン画像、ＲＧＢ画像、Ｙ／Ｃ画像、コンポジットビデオ画像などのうち少なくとも二つ以上含むものである。
【０００８】
更に、本発明の一態様である医療用画像記録装置は、前記複数の医療用観測装置毎に記録画像を複数枚一時的に記憶する一時記憶手段を備えることによって前述した課題を解決する。この構成においては、医療用観測装置毎に病状診断等に利用するのに適した枚数分の記録画像を一時的に記憶することが可能であるため、診断能をより向上させることができる。
【０００９】
更に、本発明の一態様である医療用画像記録装置は、記録する観察画像に対応するインデックス画像を生成するインデックス作成手段を備えることによって前述した課題を解決する。この構成においては、インデックス作成手段が、記録する観察画像のデータからインデックスを作成して記録するので、診断時にレビュー等を行うときにこのインデックス画像を用いることで一画面に多くの画像を表示することが可能となり、診断効率を向上させることが可能となる。
【００１０】
更に、本発明の一態様である医療用画像記録装置における記録は、複数の医療用観測装置のうちの一装置における記録指示手段からの指示によって行われることによって前述した課題を解決する。この構成においては、医師などの利用者は一装置の記録指示手段で記録指示を行うだけで複数の医療用観測装置の画像を同時に記録することが可能となるため、記録作業が容易となる。
【００１１】
【発明の実施の形態】
以下、本発明の実施の形態を図面を参照しながら説明する。
尚、以下第１の実施例は上記課題の（１）に、第２の実施例は上記課題の（２）に、第３の実施例は上記課題の（３）に、第４の実施例は上記課題の（４）に、第５〜７の実施例は上記課題の（５）に対応する。また、第８の実施例は医療用画像記録装置で記録した画像をレビュー等する際の一例について述べるものである。
本発明第１実施例：
図１に本発明第１実施例のシステム構成を示す。
【００１２】
医療用画像記録装置１１に、医療用観測装置が３台、すなわち電子内視鏡１２、超音波観測装置１３、内視鏡挿入形状表示装置１４が接続されている。また、医療用画像記録装置１１は、ネットワーク型医療情報システム１６に接続し、該ネットワーク型医療情報システム１６に設けられているサーバ（不図示）に患者データと共に画像を最終的に保存し、情報システムに接続するいずれの端末（不図示）からも医療用画像記録装置１１によって記録された画像を閲覧することが可能である。
【００１３】
図１において、電子内視鏡１２、超音波観測装置１３、内視鏡挿入形状表示装置１４により撮像される観察画像はすべてＲＧＢ画像であり、各装置から医療用画像記録装置１１に送出される。また、それぞれの装置は医療用画像記録装置１１とＲＳ−２３２Ｃで接続されており、このＲＳ−２３２Ｃを介して各装置のキーボードなどの入力手段によって入力される患者データ（ＩＤ．Ｎｏ，名前、生年月日）や記録を行うためのレリーズ信号などが医療用画像記録装置１１に送出される。また、記録のための制御命令等が医療用画像記録装置１１から各装置に送出される。
【００１４】
図２は、第１実施例のシステムのうち、一系統のみを示したブロック図である。
電子内視鏡１２の入力手段２１によって入力された患者データ及びレリーズ信号はＲＳ−２３２Ｃを介して画像記録装置１１に送出され、電子内視鏡１２で撮像される画像データは、映像信号として画像記録装置１１に送出される。画像記録装置１１では、記録を行うという指示であるレリーズ信号を受け取ると患者データ２１’  と画像データ２２’とを結合して、データベース２３に保存する。ここでは一系統しか示していないが、実際には、同様な処理を複数系統に対して行うため、複数の観察画像を同時に記録することができる。
【００１５】
このように第１実施例によれば、複数の医療用観測装置から送られる複数の観察画像を同時に記録することが可能となる。
本発明第２実施例：
図３に、本発明第２実施例のシステム構成を示す。
【００１６】
図３の構成は第１実施例とほぼ同一の構成をとるが、各観測装置から医療用画像記録装置１１に入力される映像信号が異なるＴＶ信号であるところに違いがある。すなわち、Ｈｉ  Ｖｉｓｉｏｎ電子内視鏡１５からのハイビジョン信号、超音波観測装置１３からのＲＧＢ信号、内視鏡挿入形状表示装置１４からのＹ／Ｃ信号が医療用画像記録装置１１に入力される。これ以外はすべて図１と同一なのでここでの説明は省略する。
【００１７】
更に、図４に第２実施例のシステムのうち、映像入力の系統のみを示したブロック図を示す。
ＲＢＧ入力部４１、ＮＴＳＣ入力部４２、Ｙ／Ｃ入力部４３、ＨＤＴＶ入力部４４の入力系統毎に画像記録装置１１の内部クロックと同期を取るためのＰＬＬ回路４７−１、４７−２、４７−３、４７−４、アナログ各種ＴＶ信号をデジタルＲＧＢ信号に変換するＡ／Ｄコンバータ４８、Ａ／Ｄデコーダ５１−１、５１−２、タイミング調整用のメモリであるフレームメモリ４９−１、４９−２、４９−３、４９−４、映像信号を取り込む取り込みバッファ５０−１、５０−２、５０−３、５０−４、各系統を切り替えるセレクタ５３−１、５３−２、取り込んだデータを圧縮する圧縮転送部４５を備えている。各観察装置から同時にレリーズ（静止画像を記録すること）された画像信号は、画像記録装置１１の内部クロックに同期して、デジタルＲＧＢ信号に変換が行われ、取り込みバッファ５０−１、５０−２、５０−３、５０−４に記憶される。そして、取り込みバッファの画像はセレクタ５３−１、５３−２にて順番に切り替えて読み出され、圧縮転送部４５で圧縮された上、ネットワークに転送される。
【００１８】
このように第２実施例によれば、医療用観測装置毎に撮像される画像データのデータ形式が異なっても記録が可能である。
本発明第３実施例：
本発明第３実施例のシステムの全体構成は、第２実施例で示した図３と同一である。ただ、細部が異なる。
【００１９】
図５に第３実施例のシステムのうち、映像入力の系統のみを示したブロック図を示す。図５は第２実施例の図４に相当する。図５の各ブロックの機能は図４の各ブロックとそれぞれ同一である。ただ、取り込みバッファについて図４と図５とには大きな違いがある。図４の取り込みバッファは、各入力部に対してそれぞれ一画像分のバッファが割り当てられていた。図５においては、取り込みバッファ５５は、ＳＤＴＶ用の取り込みバッファで、三入力部からの入力画像をセレクタで切り替えて順次取り込むようになっており、観測装置の使用頻度に応じてバッファ領域を割り当てられた構成となっている。つまり、例えば、内視鏡挿入形状表示装置１４の使用頻度が超音波観測装置１３に比べて多い場合、内視鏡挿入形状表示装置１４からの入力であるＹ／Ｃ信号画像をデジタルＲＧＢ信号に変更したものを取り込みバッファ５５により多く取り込めるような構成になっている。また、取り込みバッファ５６は、ＨＤＴＶ専用の取り込みバッファで、通常、電子内視鏡をメインに診断をするためより多くの観察画像を取り込むことや、Ｈｉ  Ｖｉｓｉｏｎ信号による観察画像はデータサイズが大きいことなどから取り込みバッファ５６は取り込みバッファ５５に比べて、より広い領域を確保した構成となっている。
【００２０】
このように第３実施例によれば、医療用観測装置毎の使用頻度や、その装置で撮像される観察画像のサイズなどに応じて、画像を取り込むためのバッファ量を最適な構成にすることが可能となる。
ところで、図５に示したシステムでは、取り込みバッファ５５はＳＤＴＶの各系統（ＲＧＢ，Ｙ／Ｃ，ＮＴＳＣ）を兼用した取り込みバッファとなっているため、例えば肝心な時にある観測装置の観察画像を記録できない、というような事態、すなわち、割り当てられた取り込みバッファの不足が生じることなどが考えられる。図６に示すシステムは第３実施例におけるこのような問題を解決できるシステムである。
【００２１】
図６は、第３実施例を拡張したもので、一系統のみを示したブロック図である。
主な構成は図２と同様であり、同一のブロックについては同様の処理を行うので、ここでは説明を省略する。本実施例の特徴は、画像記録装置１１がレリーズ回数カウント手段６１と警告手段６２を備えることである。レリーズ回数カウント手段６１は、ＳＤＴＶの各系統の各観測装置のレリーズ回数を計数する。予め各観測装置にはレリーズ回数の制限が設けられており、その制限回数を超えてレリーズの指示が行われた場合に、警告手段６２が該当する観測装置の画面出力手段６３に警告を表示させる。このような構成をとることにより、肝心な時に画像記録枚数の不足が生じるようなことをなくすことができる。
本発明第４実施例：
図７に本発明第４実施例のシステム構成を示す。図７は、システム全体のうち一系統のみを示したブロック図である。主な構成は図２と同様であり、同一ブロックについては同様の処理を行うので、ここでは説明を省略する。
【００２２】
本実施例の特徴は、画像記録装置１１がインデックス作成手段７１を備えることである。インデックス作成手段７１は、各観測装置から送出された観察画像に基づいて小さな画像サイズで、再生時に参照用として用いることのできる画像を生成し、データベース２３に記録する機能を備える。図７には一系統しか示していないが、複数系統の各観測装置から送出される観察画像に対してインデックス画像を作成する。
【００２３】
第４実施例のように観察画像を記録しておくことで、病状診断等のレビュー時にメインの観測装置の観察画像だけでなく、その他の観測装置のインデックスも参照して画像を検索できるので、診断効率を上げることができる。
本発明第５実施例：
図８に本発明第５実施例のシステム構成を示す。医療用画像記録装置１１に接続する各観測装置等の配置は図１に示した実施例１の全体構成と同様であり、説明は省略する。但し、それぞれの装置から医療用画像記録装置１１に入力される映像信号が異なる。電子内視鏡１２からはＲＧＢ信号、超音波観測装置１３からはコンポジット信号、内視鏡挿入形状表示装置１４からはＹ／Ｃ信号が画像記録装置１１に入力されている。
【００２４】
図９は、第５実施例のシステムのうち、電子内視鏡系統のみを示したブロック図である。
主な構成は図２と同様であり、同一のブロックについては同様の処理を行うので、ここでは説明を省略する。本実施例の特徴は、電子内視鏡１２がレリーズ入力手段９１を備えることである。このレリーズ入力手段９１は、電子内視鏡１２のスコープリモートスイッチ（ＳＷ）によるものであり、このスイッチをＯＮにすることによって、図８に示した３台の観測装置（電子内視鏡１２、超音波観測装置１３、内視鏡挿入形状表示装置１４）が連動してレリーズを行う。
【００２５】
このように第５実施例によれば、電子内視鏡による観察時に併用する他の観測装置の観察画像を電子内視鏡の観察画像と共に記録する際、それぞれのレリーズスイッチをＯＮにしなくても電子内視鏡のスイッチ一つをＯＮにすることで連動してレリーズが行われるので、医師などの利用者は装置を持ち替えるなどの手間を省くことができる。すなわち、記録作業が容易となり、作業効率を上げることができる。
本発明第６実施例：
図１０に本発明第６実施例のシステム構成を示す。本図は、本実施例のシステムのうち、電子内視鏡系統のみを示したブロック図であり、全体構成としては図８のシステム構成と同一である。すなわち、医療用画像記録装置１１には、電子内視鏡１２の他に超音波観測装置１３、内視鏡挿入形状表示装置１４が接続している。
【００２６】
図１０における主な構成は第５実施例と同様であり、同一のブロックについては同様の処理を行うので、ここでは説明を省略する。本実施例の特徴は、画像記録装置１１がレリーズ入力手段１０１を備えることである。このレリーズ入力手段１０１は、フットスイッチ（ＳＷ）によるものであり、このスイッチをＯＮすることによって、図８に示した３台の観測装置が連動してレリーズを行う。
【００２７】
このように第６実施例においても、第５実施例と同様に利用者の記録作業を容易にすることができ、作業効率を上げることが可能となる。
本発明第７実施例：
図１１に本発明第７実施例のシステム構成を示す。本実施例のシステム構成は図８に示した第５実施例とほぼ同一であるので、同一部分については説明を省略する。唯一異なるのは、医療用画像記録装置１１がレリーズ方法設定手段１１１を備えることである。レリーズ方法設定手段１１１は、医療用画像記録装置１１に接続する各医療用観測装置のうち、いずれかに備わるスイッチ等の入力手段をＯＮにすることで全ての観測装置がレリーズを行うように設定することができるものである。
【００２８】
図１２は、画像記録装置１１におけるレリーズ方法設定手段１１１の設定画面を示す図である。この画面にて選択されたレリーズ方法により前記観測装置３台は、レリーズを行う。
図１２（ａ）では、「レリーズ方法」として「ＥＶＩＳと同期」が設定されており、これは電子内視鏡（ＥＶＩＳ）１２のレリーズに応じて他の２台の観測装置のレリーズも行われる。また図１２（ｂ）では、「レリーズ方法」として「フットスイッチ」が設定されており、この設定によりフットスイッチによって全３台の観測装置のレリーズが行われることになる。その他にも図１２に示した例に限られず、超音波観測装置や内視鏡挿入形状表示装置を「レリーズ方法」として設定することも可能である。
【００２９】
このように第７実施例によれば、複数の医療用観測装置を併用して観察、観察画像の撮像を行う場合に、利用者が主に使用する装置を選択し、設定することで、該装置のスイッチをＯＮにするだけで他の装置もレリーズを行うため、利用者は装置を持ち替えるなどの手間を省くことができ、作業効率を上げることができる。
【００３０】
更に、レリーズ方法設定手段１１１において予めレリーズの優先順位をシステム管理者等が設定できるように拡張することも可能である。一般に検査内容によっては常に医療用画像記録装置に接続された全ての観測装置を使うわけではない。利用者は検査内容によって連動レリーズさせる観測装置の選択及び設定をしなければならないが、前記拡張を行うことにより、予めシステム管理者等が、検査内容に対応した連動レリーズの優先順位の設定パターンを作成しておくことが可能となり、利用者は患者の観察時に細かな設定変更作業を行うことなく、観察画像の記録を行うことができる。
【００３１】
図１３に、レリーズ方法設定手段１１１において予め設定したレリーズ優先順位のパターンの例を示す。▲１▼は電子内視鏡装置、超音波観測装置、内視鏡挿入形状表示装置、フットスイッチの順にレリーズすることを設定したものであり、▲２▼はフットスイッチ、電子内視鏡装置、超音波観測装置、内視鏡挿入形状表示装置の順にレリーズすることを設定したものであり、▲３▼は超音波観測装置、電子内視鏡装置、フットスイッチの順にレリーズすることを設定したものである。
本発明第８実施例：
図１４に本発明第８実施例のシステム構成を示す。本実施例のシステム構成は図３に示した第２実施例とほぼ同一であるので、同一部分については説明を省略する。本実施例は医療用画像装置１１で記録した画像を、ネットワーク型医療情報システム１６のサーバ１４１を介して接続する端末装置１４２で閲覧するシステムを示すものである。端末装置１４２では、医療情報システム１６で管理される電子カルテ情報を閲覧できると共に、複数の医療用観測装置で撮像された観察画像を閲覧することができる。
【００３２】
また、端末装置１４２には、画像閲覧時に医療用観測装置毎に異なる画像サイズを一定のサイズに変更する画像サイズ調整手段１４３が備えられている。この画像サイズ調整手段１４３は、利用者の閲覧時に参照用のインデックス画像を一定のサイズに揃えたり、再生画像自体を元のサイズに変更したり、再生画像自体も一定のサイズに揃えたりして、画像表示手段１４４に出力する。画像表示手段１４４は画像サイズ調整手段１４３から出力された画像データを端末装置１４２のモニタなどに出力する。
【００３３】
このように第８実施例によれば、複数の医療用観測装置にて撮像された画像を共に再生して端末装置で閲覧できると共に、端末装置のモニタの表示能力に最適な画像サイズで表示された画像を閲覧することや、多くの画像の中から求める画像を検索するための参照用のインデックス画像一覧を閲覧することが可能であるため、端末装置の限られた表示スペースを有効に活用することができる。
【００３４】
以上のように本発明の医療用画像記録装置について第１実施例〜第８実施例まで詳細に説明した。尚、本発明は、上述した実施形態に限定されることなく、本発明の要旨を逸脱しない範囲内で種々の改良・変更が可能である。例えば、本発明の実施の形態では、画像の最終保存はネットワークを介した医療情報システム内のサーバにて行う例を示しているが、画像記録装置単体にて、使用頻度の異なる複数の観測装置毎に連続レリーズ可能な枚数分の一時記憶メモリを持たせて、内部に設けたフラッシュディスク、ハードディスク、ＤＶＤ等の記録メディアに最終的に保存する形式としてもよい。
【００３５】
（付記１）  複数の医療用観測装置に接続する医療用画像記録装置であって、前記複数の医療用観測装置から送られる複数の観察画像を同時に記録する記録手段、
を備えることを特徴とする医療用画像記録装置。
【００３６】
（付記２）  付記１記載の医療用画像記録装置であって、
更に、
前記観察画像を圧縮する圧縮手段、
を備えることを特徴とする医療用画像記録装置。
【００３７】
（付記３）  付記１記載の医療用画像記録装置であって、
前記複数の観察画像は、異なるＴＶ方式の画像であることを特徴とする医療用画像記録装置。
（付記４）  付記３記載の医療用画像記録装置であって、
前記異なるＴＶ方式の画像とは、ハイビジョン画像、ＲＧＢ画像、Ｙ／Ｃ画像、コンポジットビデオ画像のうち、少なくとも二つ以上を含むことを特徴とする医療画像記録装置。
【００３８】
（付記５）  付記１記載の医療用画像記録装置であって、
更に、
前記記録画像を、前記複数の医療用観測装置毎に複数枚一時的に記憶する一時記憶手段と、
を備えることを特徴とする医療用画像記録装置。
【００３９】
（付記６）  付記５記載の医療用画像記録装置であって、
前記一時記憶手段は、前記医療用観測装置の種類に応じて各々異なる枚数を一時的に記憶することを特徴とする医療用画像記録装置。
（付記７）  付記５記載の医療用画像記録装置であって、
更に、
前記画像の記録の回数を計数する計数手段と、
前記計数した記録の回数が予め設定されている制限回数を超えた場合に警告をする警告手段と、
を備えること特徴とする医療用画像記録装置。
【００４０】
（付記８）  付記２記載の医療用画像記録装置であって、
更に、
前記記録する複数の観察画像に対応するインデックス画像をそれぞれ生成するインデックス作成手段、
を備えることを特徴とする医療用画像記録装置。
【００４１】
（付記９）  付記１記載の医療用画像記録装置であって、
前記複数の観察画像の記録は、前記複数の医療用観測装置のうちの一装置における記録指示手段からの指示によって行われることを特徴とする医療用画像記録装置。
【００４２】
（付記１０）  付記９記載の医療用画像記録装置であって、
前記記録指示手段は、電子内視鏡の操作部に設けられたリモートスイッチであることを特徴とする医療用画像記録装置。
（付記１１）  付記９記載の医療用画像記録装置であって、
前記記録指示手段は、フットスイッチであることを特徴とする医療用画像記録装置。
【００４３】
（付記１２）  付記９記載の医療用画像記録装置であって、
前記複数の観察画像の記録指示を、どの医療用観測装置の記録指示手段によって行うかを設定する設定手段、を備えることを特徴とする医療用画像記録装置。
（付記１３）  付記１２記載の医療用画像記録装置であって、
前記設定手段は、前記複数の観察画像を記録する順番を予め設定することが可能であることを特徴とする医療用画像記録装置。
【００４４】
（付記１４）  付記２または付記８記載の医療用画像記録装置及びネットワークを介して接続する端末装置からなるシステムであって、
前記端末装置は、
前記圧縮記録した画像の画像サイズを適当な画像サイズに調整する画像サイズ調整手段と、
前記調整した画像を表示する画像表示手段と、
を備えることを特徴とするシステム。
【００４５】
（付記１５）  付記１４記載のシステムであって、
前記端末装置は、
前記画像サイズ調整手段は、前記インデックス画像を一定の画像サイズに揃える、前記圧縮された観察画像を元の画像サイズに戻すまたは、一定の画像サイズに揃える、という調整を行うことを特徴とするシステム。
【００４６】
【発明の効果】
以上詳細に説明したように、本発明によれば、複数の医療用観測装置の観察装置の記録、複数のデータ形式の画像の記録等が可能である。また、参照用のインデックス画像を作成して観察画像とともに記録するため、画像の再生時に効率良く求める画像が検索できるようになり、また、一装置からの記録指示によって複数の医療用観測装置の画像を記録することができるため、観察画像記録時における医師などの装置利用者の作業効率を上げることが可能である。
【図面の簡単な説明】
【図１】本発明第１実施例のシステム構成を示す図である。
【図２】本発明第１実施例のシステムのうち一系統のみを示す図である。
【図３】本発明第２実施例のシステム構成を示す図である。
【図４】本発明第２実施例のシステムのうち映像入力系統のみを示す図である。
【図５】本発明第３実施例のシステムのうち映像入力系統のみを示す図である。
【図６】本発明第３実施例のシステムに、レリーズ回数カウント手段が付加された構成を示す図である。
【図７】本発明第４実施例のシステムのうち一系統のみを示す図である。
【図８】本発明第５実施例のシステム構成を示す図である。
【図９】本発明第５実施例のシステムについて、スコープリモートＳＷからのレリーズを説明する図である。
【図１０】本発明第６実施例のシステムについて、フットＳＷからのレリーズを説明する図である。
【図１１】本発明第７実施例のシステム構成を示す図である。
【図１２】画像記録装置におけるレリーズ方法設定の画面例を示す図である。
【図１３】第７実施例のシステムのレリーズ方法設定手段において予め設定された優先順位パターンの例を示す図である。
【図１４】本発明第８実施例のシステム構成を示す図である。
【符号の説明】
１１                            医療用画像記録装置
１２                            電子内視鏡
１３                            超音波観測装置
１４                            内視鏡挿入形状表示装置
１５                            Ｈｉ  Ｖｉｓｉｏｎ電子内視鏡
１６                            ネットワーク型医療情報システム
２１                            患者データ入力手段
２２                            画像データ
２３                            データベース
４１                            ＲＧＢ入力部
４２                            ＮＴＳＣ入力部
４３                            Ｙ／Ｃ入力部
４４                            ＨＤＴＶ入力部
４５                            圧縮転送部
４６                            アナログプリプロセッサ
４７                            ＰＬＬ
４８                            Ａ／Ｄコンバータ
４９                            フレームメモリ
５０、５５、５６    取り込みバッファ
５１                            Ａ／Ｄデコーダ
５２                            デジタル映像Ｉ／Ｆ
５３                            セレクタ
５４                            ＦＩＦＯ
６１                            レリーズ回数カウント手段
６２                            警告手段
６３                            画面出力手段
７１                            インデックス作成手段
９１、１０１                        レリーズ入力手段
１１１                                    レリーズ方法設定手段
１４１                                    サーバ
１４２                                    端末装置
１４３                                    画像サイズ調整手段
１４４                                    画像表示手段
【図１】
2004356797.tif 000003
【図２】
2004356797.tif 000004
【図３】
2004356797.tif 000005
【図４】
2004356797.tif 000006
【図５】
2004356797.tif 000007
【図６】
2004356797.tif 000008
【図７】
2004356797.tif 000009
【図８】
2004356797.tif 000010
【図９】
2004356797.tif 000011
【図１０】
2004356797.tif 000012
【図１１】
2004356797.tif 000013
【図１２】
2004356797.tif 000014
【図１３】
2004356797.tif 000015
【図１４】
2004356797.tif 000016